(57)【特許請求の範囲】
【請求項１】
被写体像の画像データを生成する撮像部と、前記撮像部が生成した前記画像データに対応する画像を表示する表示部と、を備えた撮像装置であって、
前記画像内から撮影パラメータを設定する際の基準となる主要被写体候補を含む領域を切り出してトリミング画像を生成するトリミング部と、
前記トリミング部が生成した前記トリミング画像を、前記表示部が表示する前記画像上の右領域に重畳して選択可能に表示させる表示制御部と、
前記表示部が表示する前記トリミング画像を指定する指示信号の入力を受け付ける入力部と、
前記入力部が受け付けた前記トリミング画像に写る被写体を主要被写体として設定する主要被写体設定部と、
前記主要被写体を基準として前記撮影パラメータを設定し、当該撮像装置の撮影を制御する撮影制御部と、
前記撮影パラメータの変更を指示する操作指示信号の入力を受け付ける操作部と、
を備え、
前記入力部は、前記表示部の表示画面上に設けられ、外部からの物体のタッチを検出し、検出したタッチ位置に応じた位置信号を出力するタッチパネルであり、
前記表示制御部は、前記トリミング画像がタッチされ、該タッチ位置が所定時間継続している場合、前記トリミング画像から前記撮影パラメータの項目に切り替えて前記表示部に表示させることを特徴とする撮像装置。
【請求項２】
前記画像に含まれる被写体の顔を検出する顔検出部をさらに備え、
前記トリミング部は、前記顔検出部が検出した顔を含む領域を切り出して前記トリミング画像を生成することを特徴とする請求項１に記載の撮像装置。
【請求項３】
前記表示制御部は、前記顔検出部が複数の顔を検出している場合、前記表示部に対し、前記トリミング部が生成した前記トリミング画像を規定数だけ表示させることを特徴とする請求項２に記載の撮像装置。
【請求項４】
前記表示制御部は、前記トリミング部が前記トリミング画像を複数生成している場合、前記表示部に対し、前記画像の中心部に位置する被写体の前記トリミング画像を他の被写体の前記トリミング画像より優先して表示させることを特徴とする請求項２または３に記載の撮像装置。
【請求項５】
前記表示制御部は、前記表示部に対し、前記顔検出部が前記画像内において検出した顔の高さに対応する位置に前記トリミング画像を表示させることを特徴とする請求項２〜４のいずれか一つに記載の撮像装置。
【請求項６】
前記表示制御部は、前記顔検出部が前記トリミング画像に対応する顔を検出することができなくなった場合、該トリミング画像に対応する被写体が消失したことを示す警告を前記表示部に表示させることを特徴とする請求項２〜５のいずれか一つに記載の撮像装置。
【請求項７】
前記操作部が入力を受け付けた前記操作指示信号に応じて、前記主要被写体の前記撮影パラメータを変更するパラメータ変更部と、
をさらに備えたことを特徴とする請求項１に記載の撮像装置。
【請求項８】
被写体像を結像する光学系を収容するレンズ部をさらに備え、
前記操作部は、前記レンズ部に設けられていることを特徴とする請求項７に記載の撮像装置。
【請求項９】
前記撮影パラメータは、前記トリミング画像に対応する前記被写体のピント状態、露出状態および表示倍率の少なくともいずれか一つ以上であることを特徴とする請求項２〜８のいずれか一つに記載の撮像装置。
【請求項１０】
被写体像の画像データを生成する撮像部と、前記撮像部が生成した前記画像データに対応する画像を表示する表示部と、前記表示部の表示画面上に設けられ、外部からの物体のタッチを検出し、検出したタッチ位置に応じた位置信号を出力するタッチパネルと、を備えた撮像装置が実行する表示方法であって、
前記画像内から撮影パラメータを設定する際の基準となる主要被写体候補を含む領域を切り出してトリミング画像を生成するトリミングステップと、
前記トリミングステップで生成した前記トリミング画像を、前記表示部が表示する前記画像上の右領域に重畳して選択可能に表示させる表示制御ステップと、
前記タッチパネルを介して前記表示部が表示する選択可能な前記トリミング画像を指定する指示信号の入力を受け付ける入力ステップと、
前記入力ステップが受け付けた前記トリミング画像に写る被写体を主要被写体として設定する主要被写体設定ステップと、
前記主要被写体を基準として前記撮影パラメータを設定し、当該撮像装置の撮影を制御する撮影制御ステップと、
前記撮影パラメータの変更を指示する操作指示信号の入力を受け付ける操作ステップと、
を含み、
前記表示制御ステップは、前記トリミング画像がタッチされ、該タッチ位置が所定時間継続している場合、前記トリミング画像から前記撮影パラメータの項目に切り替えて前記表示部に表示させることを特徴とする表示方法。
【請求項１１】
被写体像の画像データを生成する撮像部と、前記撮像部が生成した前記画像データに対応する画像を表示する表示部と、前記表示部の表示画面上に設けられ、外部からの物体のタッチを検出し、検出したタッチ位置に応じた位置信号を出力するタッチパネルと、を備えた撮像装置に実行させるプログラムであって、
前記画像内から撮影パラメータを設定する際の基準となる主要被写体候補を含む領域を切り出してトリミング画像を生成するトリミングステップと、
前記トリミングステップで生成した前記トリミング画像を、前記表示部が表示する前記画像上の右領域に重畳して選択可能に表示させる表示制御ステップと、
前記タッチパネルを介して前記表示部が表示する選択可能な前記トリミング画像を指定する指示信号の入力を受け付ける入力ステップと、
前記入力ステップが受け付けた前記トリミング画像に写る被写体を主要被写体として設定する主要被写体設定ステップと、
前記主要被写体を基準として前記撮影パラメータを設定し、当該撮像装置の撮影を制御する撮影制御ステップと、
前記撮影パラメータの変更を指示する操作指示信号の入力を受け付ける操作ステップと、
を含み、
前記表示制御ステップは、前記トリミング画像がタッチされ、該タッチ位置が所定時間継続している場合、前記トリミング画像から前記撮影パラメータの項目に切り替えて前記表示部に表示させることを実行させることを特徴とするプログラム。
【発明の詳細な説明】
【技術分野】
【０００１】
本発明は、被写体を撮像して光電変換を行うことによって電子的な画像データを生成する撮像装置、撮像装置が行う表示方法およびプログラムに関する。
【背景技術】
【０００２】
近年、デジタルカメラ等の撮像装置において、表示モニタが表示する画像を見ながら、表示モニタに重畳されたタッチパネルを介して撮影者が所望する被写体を主要被写体として指定することができる技術が知られている（特許文献１参照）。この技術では、撮影者がタッチパネルで所望する主要被写体を指定し、この指定された主要被写体に対してピントや露出等の撮影パラメータを自動的に調整することによって主要被写体を重視した撮影を行うことができる。
【先行技術文献】
【特許文献】
【０００３】
【特許文献１】特開平１１−１３６５６８号公報
【発明の概要】
【発明が解決しようとする課題】
【０００４】
しかしながら、上述した従来技術では、スポーツシーン等の被写体の動きが激しい場合や、被写体の大きさが小さい場合、または被写体が互いに重なりあう場合、撮影の構図を決めながら、表示モニタが表示する画像内で所望の被写体をタッチして主要被写体に指定することが難しかった。このため、動きの激しい被写体であっても、主要被写体として容易に指定することができる技術が望まれていた。
【０００５】
本発明は、上記に鑑みてなされたものであって、敏速で指定が困難な被写体であっても、撮影者が撮影の姿勢を構えた状態で主要被写体として容易に指定することができる撮像装置、表示方法およびプログラムを提供することを目的とする。
【課題を解決するための手段】
【０００６】
上述した課題を解決し、目的を達成するために、本発明にかかる撮像装置は、被写体像の画像データを生成する撮像部と、前記撮像部が生成した前記画像データに対応する画像を表示する表示部と、前記画像内から撮影パラメータを設定する際の基準となる主要被写体候補を含む領域を切り出してトリミング画像を生成するトリミング部と、前記トリミング部が生成した前記トリミング画像を、前記表示部が表示する前記画像上の所定の位置に重畳して選択可能に表示させる表示制御部と、前記表示部が表示する選択可能な前記トリミング画像を指定する指示信号の入力を受け付ける入力部と、を備えたことを特徴とする。
【０００７】
また、本発明にかかる撮像装置は、上記発明において、前記画像に含まれる被写体の顔を検出する顔検出部をさらに備え、前記トリミング部は、前記顔検出部が検出した顔を含む領域を切り出してトリミング画像を生成することを特徴とする。
【０００８】
また、本発明にかかる撮像装置は、上記発明において、前記表示制御部は、前記顔検出部が複数の顔を検出している場合、前記表示部に対し、前記トリミング部が生成した前記トリミング画像を規定数だけ表示させることを特徴とする。
【０００９】
また、本発明にかかる撮像装置は、上記発明において、前記表示制御部は、前記トリミング部が前記トリミング画像を複数生成している場合、前記表示部に対し、前記画像の中心部に位置する被写体の前記トリミング画像を他の被写体のトリミング画像より優先して表示させることを特徴とする。
【００１０】
また、本発明にかかる撮像装置は、上記発明において、前記表示制御部は、前記表示部に対し、前記顔検出部が前記画像内において検出した顔の高さに対応する位置に前記トリミング画像を表示させることを特徴とする。
【００１１】
また、本発明にかかる撮像装置は、上記発明において、前記表示制御部は、前記表示部に対し、前記トリミング画像を表示画面上の右領域に表示させることを特徴とする。
【００１２】
また、本発明にかかる撮像装置は、上記発明において、前記表示制御部は、前記顔検出部が前記トリミング画像に対応する顔を検出することができなくなった場合、該トリミング画像に対応する被写体が消失したことを示す警告を前記表示部に表示させることを特徴とする。
【００１３】
また、本発明にかかる撮像装置は、上記発明において、前記表示部の表示画面上に設けられ、外部からの物体のタッチを検出し、検出したタッチ位置に応じた位置信号を出力するタッチパネルと、前記タッチパネルから入力される前記位置信号に対応する前記トリミング画像に写る被写体を主要被写体として設定する主要被写体設定部と、前記主要被写体設定部が設定した前記主要被写体を基準として前記撮影パラメータを設定し、当該撮像装置の撮影を制御する撮影制御部と、をさらに備え、前記入力部は、前記タッチパネルであることを特徴とする。
【００１４】
また、本発明にかかる撮像装置は、上記発明において、前記撮影パラメータの変更を指示する操作指示信号の入力を受け付ける操作部と、前記操作部が入力を受け付けた前記操作指示信号に応じて、前記主要被写体の前記撮影パラメータを変更するパラメータ変更部と、をさらに備えたことを特徴とする。
【００１５】
また、本発明にかかる撮像装置は、上記発明において、被写体像を結像する光学系を収容するレンズ部をさらに備え、前記操作部は、前記レンズ部に設けられていることを特徴とする。
【００１６】
また、本発明にかかる撮像装置は、上記発明において、前記撮影パラメータは、前記トリミング画像に対応する前記被写体のピント状態、露出状態および表示倍率の少なくともいずれか一つ以上であることを特徴とする。
【００１７】
また、本発明にかかる表示方法は、被写体像の画像データを生成する撮像部と、前記撮像部が生成した前記画像データに対応する画像を表示する表示部とを備えた撮像装置が実行する表示方法であって、前記画像内から撮影パラメータを設定する際の基準となる主要被写体候補を含む領域を切り出してトリミング画像を生成するトリミングステップと、前記トリミングステップで生成した前記トリミング画像を、前記表示部が表示する前記画像上の所定の位置に重畳して選択可能に表示させる表示制御ステップと、前記表示部が表示する選択可能な前記トリミング画像を指定する指示信号の入力を受け付ける入力ステップと、を含むことを特徴とする。
【００１８】
また、本発明にかかるプログラムは、被写体像の画像データを生成する撮像部と、前記撮像部が生成した前記画像データに対応する画像を表示する表示部とを備えた撮像装置に実行させるプログラムであって、前記画像内から撮影パラメータを設定する際の基準となる主要被写体候補を含む領域を切り出してトリミング画像を生成するトリミングステップと、前記トリミングステップで生成した前記トリミング画像を、前記表示部が表示する前記画像上の所定の位置に重畳して選択可能に表示させる表示制御ステップと、前記表示部が表示する選択可能な前記トリミング画像を指定する指示信号の入力を受け付ける入力ステップと、を実行させることを特徴とする。
【発明の効果】
【００１９】
本発明によれば、表示制御部がトリミング部によって生成された撮影パラメータの設定する際の基準となる主要被写体候補に対応するトリミング画像を、ライブビュー画像上の所定位置に重畳して選択可能に表示部に表示させる。この結果、敏速で指定が困難な被写体であっても、撮影者が撮影の姿勢を構えた状態で主要被写体として容易に指定することができる効果を奏する。
【図面の簡単な説明】
【００２０】
【図１】図１は、本発明の実施の形態１にかかる撮像装置の被写体に面する側の構成を示す図である。
【図２】図２は、本発明の実施の形態１にかかる撮像装置の撮影者に面する側の構成を示す図である。
【図３】図３は、本発明の実施の形態１にかかる撮像装置の構成を示すブロック図である。
【図４】図４は、本発明の実施の形態１にかかる撮像装置が実行する処理の概要を示すフローチャートである。
【図５】図５は、本発明の実施の形態１にかかる撮像装置を用いて撮影する際の状況を示す図である。
【図６】図６は、図４の候補検出表示処理の概要を示すフローチャートである。
【図７】図７は、本発明の実施の形態１にかかる撮像装置の表示部が表示する画像の一例を示す図である。
【図８】図８は、本発明の実施の形態１にかかる撮像装置の表示部が表示する画像の別の一例を示す図である。
【図９】図９は、本発明の実施の形態１にかかる撮像装置の表示部が表示する画像の別の一例を示す図である。
【図１０】図１０は、本発明の実施の形態１にかかる撮像装置の表示部が表示する画像の別の一例を示す図である。
【図１１】図１１は、本発明の実施の形態１にかかる撮像装置の表示部が表示する画像の別の一例を示す図である。
【図１２】図１２は、本発明の実施の形態１にかかる撮像装置の表示部が表示する画像の別の一例を示す図である。
【図１３】図１３は、本発明の実施の形態１にかかる撮像装置の表示部が表示する画像の別の一例を示す図である。
【図１４】図１４は、従来の撮像装置が表示する画像に対して撮影者が主要被写体を指定する画像の一例を示す図である。
【図１５】図１５は、本発明の実施の形態１にかかる撮像装置の表示部が表示する画像の別の一例を示す図である。
【図１６】図１６は、本発明の実施の形態２にかかる撮像装置が実行する処理の概要を示すフローチャートである。
【図１７】図１７は、本発明の実施の形態２にかかる撮像装置の表示部が表示する画像の別の一例を示す図である。
【図１８】図１８は、本発明の実施の形態２にかかる撮像装置の表示部が表示する画像の別の一例を示す図である。
【図１９】図１９は、本発明の実施の形態３にかかる撮像装置が実行する処理の概要を示すフローチャートである。
【図２０】図２０は、撮影者がタッチする際の状況を模式的に示す図である。
【図２１】図２１は、本発明の実施の形態３にかかる撮像装置の表示部が表示する画像の一例を示す図である。
【図２２】図２２は、撮影者が選択領域をリセットする際の状況を示す図である。
【図２３】図２３は、本発明の実施の形態３にかかる撮像装置の表示部が表示する画像の別の一例を示す図である。
【発明を実施するための形態】
【００２１】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００２２】
図１は、本発明の実施の形態１にかかる撮像装置の被写体に面する側（前面側）の構成を示す図である。図２は、本発明の実施の形態１にかかる撮像装置の撮影者に面する側（背面側）の構成を示す図である。図３は、本発明の実施の形態１にかかる撮像装置の構成を示すブロック図である。
【００２３】
図１〜図３に示すように、撮像装置１は、本体部２と、本体部２に着脱自在なレンズ部３と、本体部２に着脱自在な接眼部（電子ビューファインダ）４と、を備える。
【００２４】
本体部２は、シャッタ２０１と、シャッタ駆動部２０２と、撮像素子２０３と、撮像素子駆動部２０４と、信号処理部２０５と、発光部２０６と、加速度検出部２０７と、本体通信部２０８と、アクセサリ通信部２０９と、操作入力部２１０と、表示部２１１と、タッチパネル２１２と、記録部２１３と、制御部２１４と、を備える。
【００２５】
シャッタ２０１は、開閉動作を行うことにより、撮像素子２０３の状態を露光状態または遮光状態に設定する露光動作を行う。シャッタ２０１は、フォーカルプレンシャッタ等のメカニカルシャッタを用いて構成される。シャッタ駆動部２０２は、ステッピングモータ等を用いて構成され、制御部２１４から入力される指示信号に応じてシャッタ２０１を駆動する。
【００２６】
撮像素子２０３は、ＣＣＤ（Charge  Coupled  Device）またはＣＭＯＳ（Complementary  Metal  Oxide  Semiconductor）等を用いて構成され、レンズ部３が集光した光を受光して光電変換を行うことによって画像データを連続的に生成する。撮像素子駆動部２０４は、所定のタイミングで撮像素子２０３から画像データ（アナログ信号）を信号処理部２０５に出力させる。この意味で、撮像素子駆動部２０４は、電子シャッタとして機能する。
【００２７】
信号処理部２０５は、撮像素子２０３から入力される画像データに増幅等の信号処理を施した後、Ａ／Ｄ変換を行うことによってデジタルの画像データを生成して制御部２１４に出力する。
【００２８】
発光部２０６は、キセノンランプまたはＬＥＤ（Light  Emitting  Diode）等を用いて構成される。発光部２０６は、撮像装置１が撮像する視野領域へ向けて補助光であるストロボ光を照射する。
【００２９】
加速度検出部２０７は、加速度センサおよびジャイロセンサ等を用いて構成され、撮像装置１に生じる加速度を検出して制御部２１４に出力する。
【００３０】
本体通信部２０８は、本体部２に装着されたレンズ部３との通信を行うための通信インターフェースである。アクセサリ通信部２０９は、本体部２に装着される接眼部４との通信を行うための通信インターフェースである。なお、アクセサリ通信部２０９は、接眼部４と異なるアクセサリ、たとえばエレクトロニックフラッシュ、ＧＰＳ受信装置、外部の処理装置と双方向に通信可能な通信装置およびマイク等と通信を行うこともできる。
【００３１】
操作入力部２１０は、図１および図２に示すように、撮像装置１の電源状態をオン状態またはオフ状態に切り換える電源スイッチ２１０ａと、静止画撮影または動画撮影の指示を与えるレリーズ信号を入力するレリーズスイッチ２１０ｂと、撮像装置１に設定された各種撮影モード切換の指示を与える切換信号を入力する撮影モード切換スイッチ２１０ｃと、を有する。レリーズスイッチ２１０ｂは、外部からの押圧により進退可能である。レリーズスイッチ２１０ｂが半押しされた場合、撮影準備動作を指示する１ｓｔレリーズ信号が入力される。これに対し、レリーズスイッチ２１０ｂが全押しされた場合、静止画撮影を指示する２ｎｄレリーズ信号が入力される。なお、操作入力部２１０は、撮像装置１の各種設定パラメータを設定するダイヤル式の設定スイッチ（図示せず）を有する。
【００３２】
表示部２１１は、液晶または有機ＥＬ（Electro  Luminescence）等からなる表示パネルを用いて実現される。表示部２１１は、画像データに対応する画像を表示する。表示部２１１は、撮像装置１の操作に関する操作情報や撮影に関する撮影情報を表示する。
【００３３】
タッチパネル２１２は、表示部２１１の表示画面上に設けられる。タッチパネル２１２は、外部からの物体のタッチを検出し、検出したタッチ位置に応じた位置信号を出力する。また、タッチパネル２１２は、ユーザが表示部２１１で表示される情報に基づいて接触した位置を検出し、この検出した接触位置に応じて撮像装置１が行う動作を指示する指示信号の入力を受け付けてもよい。一般に、タッチパネル２１２としては、抵抗膜方式、静電容量方式、光学方式等がある。本実施の形態１では、いずれの方式のタッチパネルであっても適用可能である。なお、本実施の形態１では、タッチパネル２１２が入力部として機能する。
【００３４】
記録部２１３は、撮像装置１の内部に固定的に設けられるフラッシュメモリやＤＲＡＭ（Dynamic  Random  Access  Memory）等の半導体メモリを用いて実現される。記録部２１３は、撮像装置１を動作させるための各種プログラム、本実施の形態１にかかるプログラムおよびプログラムの実行中に使用される各種データやパラメータ等を記録する。記録部２１３は、画像データを記録するとともに、本体部２に装着可能なレンズ部３の情報やレンズ部３の種類に応じた画像データの補正情報等の情報を記録する。なお、記録部２１３は、外部から装着されるメモリカード等のコンピュータで読取可能な記憶媒体を含むものであってもよい。
【００３５】
制御部２１４は、ＣＰＵ（Central  Processing  Unit）等を用いて構成される。制御部２１４は、操作入力部２１０やタッチパネル２１２からの指示信号や切換信号等に応じて撮像装置１を構成する各部に対応する指示やデータの転送等を行って撮像装置１の動作を統括的に制御する。
【００３６】
制御部２１４の詳細な構成について説明する。制御部２１４は、画像処理部２１４ａと、顔検出部２１４ｂと、トリミング部２１４ｃと、主要被写体設定部２１４ｄと、パラメータ変更部２１４ｅと、撮影制御部２１４ｆと、表示制御部２１４ｇと、を有する。
【００３７】
画像処理部２１４ａは、画像エンジン（画像コントローラ）を用いて構成され、信号処理部２０５から入力される画像データ（ＲＡＷデータ）に対して各種の画像処理を行って処理画像データを生成して記録部２１３に出力する。具体的には、画像処理部２１４ａは、画像データに対して、少なくとも、オプティカルブラック減算処理、ホワイトバランス（ＷＢ）調整処理、撮像素子２０３がベイヤー配列の場合には画像データの同時化処理、カラーマトリクス演算処理、ガンマ補正処理、色再現処理およびエッジ強調処理等を含む画像処理を行う。また、画像処理部２１４ａは、ＪＰＥＧ（Joint  Photographic  Experts  Group）方式に従って画像データを圧縮し、圧縮した画像データを記録部２１３に記録させてもよい。
【００３８】
顔検出部２１４ｂは、画像データに対応する画像に含まれる人物の顔をパターンマッチングによって検出する。具体的には、顔検出部２１４ｂは、パターンマッチングにより画像中の顔の位置を検出後、目や鼻、口等の顔の特徴点の位置を検出することによって、顔の位置、顔の大きさ（サイズ）、顔の向き、顔の角度（傾き）等を検出する。なお、顔検出部２１４ｂは、人物の顔だけでなく、犬や猫等の顔を検出してもよい。さらに、顔検出部２１４ｂは、パターンマッチング以外の周知技術を用いて人物の顔を検出してもよい。
【００３９】
トリミング部２１４ｃは、撮像素子２０３が生成した画像データに対応する撮影パラメータを設定する際の基準となる主要被写体候補を含む領域を切り出してトリミング画像を生成する。具体的には、トリミング部２１４ｃは、顔検出部２１４ｂが検出した顔を含む領域を画像内から切り出してトリミング画像を生成する。また、トリミング部２１４ｃは、顔検出部２１４ｂが複数の顔を検出した場合、各顔を含む領域を画像内から切り出して複数のトリミング画像を生成する。
【００４０】
主要被写体設定部２１４ｄは、タッチパネル２１２から入力される位置信号に応じて、撮影パラメータを設定する際の基準とする主要被写体を複数の主要被写体候補の中から設定する。
【００４１】
パラメータ変更部２１４ｅは、操作入力部２１０、タッチパネル２１２または後述するレンズ部３のレンズ操作部３０９から入力される指示信号や操作信号に基づいて、主要被写体の表示態様の撮影パラメータを変更する。ここで、撮影パラメータとは、主要被写体のピント状態、露出状態およびトリミング画像の表示倍率の少なくともいずれか一つ以上である。なお、レンズ部３のズーム倍率、絞り、ピント位置、または撮像装置１の露出時間、シャッタ速度およびＩＳＯ感度、表示部２１１が表示する画像の明るさや画像サイズ等の撮影パラメータを想定しており、および、条件に応じては、表示時の視認性向上など表示パラメータを変更するようにしてもよい。
【００４２】
撮影制御部２１４ｆは、レリーズスイッチ２１０ｂを介してレリーズ信号が入力された場合、撮像装置１における撮影動作を開始する制御を行う。ここで、撮像装置１における撮影動作とは、シャッタ駆動部２０２および撮像素子駆動部２０４の駆動によって撮像素子２０３が出力した画像データに対し、信号処理部２０５および画像処理部２１４ａが所定の処理を施す動作をいう。このように処理が施された画像データは、撮影制御部２１４ｆによって記録部２１３に記録される。また、撮影制御部２１４ｆは、主要被写体設定部２１４ｄが設定した主要被写体に対して、撮影パラメータが適切になるように撮像装置１の撮影を制御する。
【００４３】
表示制御部２１４ｇは、画像データに対応する画像を表示部２１１および／または接眼表示部４２に表示させる。具体的には、表示制御部２１４ｇは、接眼表示部４２が表示可能な状態、たとえば電源がオン状態に設定された場合、画像データに対応するライブビュー画像を接眼表示部４２に表示させる一方、接眼表示部４２がオフ状態に設定された場合、画像データに対応するライブビュー画像を表示部２１１に表示させる。また、表示制御部２１４ｇは、顔検出部２１４ｂが検出した顔を含む領域に対して矩形状のフレームをライブビュー画像上に重畳して表示させる。さらにまた、表示制御部２１４ｇは、トリミング部２１４ｃが生成したトリミング画像をアイコン画像として接眼表示部４２または表示部２１１に表示させる。また、表示制御部２１４ｇは、トリミング部２１４ｃが生成した複数のトリミング画像を、ライブビュー画像上における所定の位置に重畳して選択可能に表示部２１１または接眼表示部４２に表示させる。具体的には、表示制御部２１４ｇは、撮像装置１を背面側（図２を参照）から見た場合において、トリミング画像をアイコン画像として撮影者の右手で操作可能な表示部２１１の右領域（レリーズスイッチ２１０ｂ側）に縦に並べて表示させる。さらに、表示制御部２１４ｇは、顔検出部２１４ｂが複数の顔を検出している場合、トリミング部２１４ｃが生成したトリミング画像を規定数だけライブビュー画像に重畳して表示部２１１に表示させる。さらに、表示制御部２１４ｇは、トリミング画像をアイコン画像として表示部２１１の表示画面上における所定の領域に縦に並べて表示させる。なお、表示制御部２１４ｇは、撮像装置１を背面側（図２を参照）から見た場合において、トリミング画像をアイコン画像として撮影者の右手で操作可能な表示部２１１の下領域に対して横に並べて表示させてもよい。
【００４４】
以上の構成を有する本体部２に対して、インターネットを介してパーソナルコンピュータ（図示せず）と双方向に通信可能な通信機能を具備させてもよい。
【００４５】
レンズ部３は、光学系３０１と、ズームレンズ駆動部３０２と、ズームレンズ位置検出部３０３と、フォーカスレンズ駆動部３０４と、フォーカスレンズ位置検出部３０５と、絞り３０６と、絞り駆動部３０７と、絞り値検出部３０８と、レンズ操作部３０９と、レンズ記録部３１０と、レンズ通信部３１１と、レンズ制御部３１２と、を備える。
【００４６】
光学系３０１は、所定の視野領域から光を集光し、この集光した光を撮像素子２０３の撮像面に結像する。光学系３０１は、ズームレンズ３０１ａと、フォーカスレンズ３０１ｂを有する。ズームレンズ３０１ａは、一または複数のレンズを用いて構成され、光軸Ｌ上に沿って移動することにより、光学系３０１のズーム倍率を変更する。フォーカスレンズ３０１ｂは、一または複数のレンズを用いて構成され、光軸Ｌ上に沿って移動することにより、光学系３０１のピント位置および焦点距離を変更する。
【００４７】
ズームレンズ駆動部３０２は、ステッピングモータやＤＣモータ等を用いて構成される。ズームレンズ駆動部３０２は、レンズ制御部３１２の制御のもと、ズームレンズ３０１ａを光軸Ｌ上に沿って移動させる。
【００４８】
ズームレンズ位置検出部３０３は、フォトインタラプタ等を用いて構成され、ズームレンズ駆動部３０２によって駆動されたズームレンズの位置を検出する。具体的には、ズームレンズ位置検出部３０３は、ズームレンズ駆動部３０２に含まれる駆動用モータの回転量をパルス数に変換し、変換したパルス数に基づいて、無限遠を基準とする基準位置からのズームレンズ３０１ａの光軸Ｌ上における位置を検出する。
【００４９】
フォーカスレンズ駆動部３０４は、ステッピングモータやＤＣモータ等を用いて構成される。フォーカスレンズ駆動部３０４は、レンズ制御部３１２の制御のもと、フォーカスレンズ３０１ｂを光軸Ｌ上に沿って移動させる。
【００５０】
フォーカスレンズ位置検出部３０５は、フォトインタラプタ等を用いて構成され、フォーカスレンズ駆動部３０４によって駆動されたフォーカスレンズの位置を検出する。フォーカスレンズ位置検出部３０５は、ズームレンズ位置検出部３０３と同様の方法により、フォーカスレンズ３０１ｂの光軸Ｌ上における位置を検出する。
【００５１】
絞り３０６は、光学系３０１が集光した光の入射量を制限することにより露出の調整を行う。絞り駆動部３０７は、ステッピングモータ等を用いて構成され、レンズ制御部３１２の制御のもと、絞り３０６を駆動することにより、撮像素子２０３に入射する光の光量を調整する。
【００５２】
絞り値検出部３０８は、絞り駆動部３０７によって駆動された絞り３０６の状態を検出することにより、絞り３０６の絞り値を検出する。絞り値検出部３０８は、リニアエンコーダや可変抵抗素子等のポテンションメータおよびＡ／Ｄ変換回路等を用いて構成される。
【００５３】
レンズ操作部３０９は、図１に示すように、レンズ部３のレンズ鏡筒の周囲に設けられる操作リング３０９ａ等であり、光学系３０１内のズームレンズ３０１ａやフォーカスレンズ３０１ｂの動作または撮像装置１の動作を指示する指示信号が入力される。なお、レンズ操作部３０９は、プッシュ式のスイッチ等であってもよい。
【００５４】
レンズ記録部３１０は、光学系３０１および絞り３０６の位置や動きを決定するための制御用プログラムを記憶する。レンズ記録部３１０は、光学系３０１の倍率、焦点距離、画角、収差およびＦ値（明るさ）等を記憶する。
【００５５】
レンズ通信部３１１は、レンズ部３が本体部２に装着されたときに、本体部２の本体通信部２０８と通信を行うための通信インターフェースである。
【００５６】
レンズ制御部３１２は、ＣＰＵ等を用いて構成され、本体通信部２０８およびレンズ通信部３１１を介して入力される制御部２１４からの指示信号や駆動信号に応じてレンズ部３の動作を制御する。レンズ制御部３１２は、本体通信部２０８およびレンズ通信部３１１を介して撮像素子２０３が画像データを生成するタイミングに同期してズームレンズ位置検出部３０３が検出したズームレンズ３０１ａの位置、フォーカスレンズ位置検出部３０５が検出したフォーカスレンズ３０１ｂの位置および絞り値検出部３０８が検出した絞り３０６の絞り値を制御部２１４に出力する。
【００５７】
接眼部４は、ユーザが目を近接させることによって認識可能な表示画面を表示する。接眼部４は、撮像素子２０３が生成した画像データに対応するライブビュー画像を表示する。接眼部４は、接眼通信部４１と、接眼表示部４２と、を備える。
【００５８】
接眼通信部４１は、接眼部４が本体部２に装着されたときに、本体部２のアクセサリ通信部２０９と通信を行うためのインターフェースである。
【００５９】
接眼表示部４２は、液晶または有機ＥＬ等からなる表示パネルを用いて実現される。接眼表示部４２は、画像データに対応するライブビュー画像を表示する。接眼表示部４２は、撮像装置１の操作情報または撮影状況に関する撮影情報をライブビュー画像に重畳して表示する。接眼表示部４２は、ユーザが目を近接させることにより、ライブビュー画像が確認される。
【００６０】
以上の構成を有する撮像装置１が行う動作について説明する。図４は、撮像装置１が実行する処理の概要を示すフローチャートである。
【００６１】
図４において、まず、ユーザによって電源スイッチ２１０ａが操作されて、撮像装置１の電源がオン状態になる（ステップＳ１０１：Ｙｅｓ）と、制御部２１４は、撮像装置１が撮影モードであるか否かを判断する（ステップＳ１０２）。撮像装置１が撮影モードであると制御部２１４が判断した場合（ステップＳ１０２：Ｙｅｓ）、撮像装置１は、後述するステップＳ１０３へ移行する。これに対して、撮像装置１が撮影モードでないと制御部２１４が判断した場合（ステップＳ１０２：Ｎｏ）、撮像装置１は、後述するステップＳ１１５へ移行する。なお、撮像装置１の電源がオン状態でない場合（ステップＳ１０１：Ｎｏ）、撮像装置１は、本処理を終了する。
【００６２】
ステップＳ１０３において、表示制御部２１４ｇは、撮像装置１に設定されたモードに応じて、撮像素子２０３が連続的に生成する画像データに対応するライブビュー画像を表示部２１１または接眼表示部４２に順次表示させる。これにより、図５に示すように、撮影者は、表示部２１１または接眼表示部４２が表示するライブビュー画像を見ながら撮影の構図を選択しながら撮影を行うことができる。
【００６３】
続いて、撮影制御部２１４ｆは、レンズ部３とレンズ通信を行う（ステップＳ１０４）。具体的には、撮影制御部２１４ｆは、本体通信部２０８を介してレンズ部３からレンズデータを取得する。ここで、レンズデータは、フォーカスレンズ３０１ｂ、ズームレンズ３０１ｂおよび絞り３０６の動作パラメータと、光学データと、レンズ状態データとを含む。動作パラメータは、フォーカスレンズ３０１ｂの最高動作速度情報等である。光学データは、分光透過率情報、歪補正情報および色収差情報等である。レンズ状態データは、フォーカスレンズ３０１ｂおよびズームレンズ３０１ｂの光軸Ｌ上における位置情報および絞り３０６の絞り値情報等である。
【００６４】
その後、撮像装置１は、撮影パラメータを設定する際の基準となる主要被写体候補を検出し、この検出した主要被写体候補をライブビュー画像上における所定の位置にアイコン画像として選択可能に表示する候補検出表示処理を実行する（ステップＳ１０５）。
【００６５】
図６は、候補検出表示処理の概要を示すフローチャートである。図６において、撮影制御部２１４ｆは、顔検出部２１４ｂが画像データに対応する画像内で人物の顔を検出可能であるか否かを判断する（ステップＳ２０１）。顔検出部２１４ｂが画像データに対応する画像内で顔を検出可能であると撮影制御部２１４ｆが判断した場合（ステップＳ２０１：Ｙｅｓ）、撮像装置１は、ステップＳ２０２へ移行する。これに対して、顔検出部２１４ｂが画像データに対応する画像内で顔を検出可能でないと撮影制御部２１４ｆが判断した場合（ステップＳ２０１：Ｎｏ）、撮像装置１は、図４のメインルーチンへ戻る。
【００６６】
続いて、撮影制御部２１４ｆは、顔検出部２１４ｂがライブビュー画像内から検出した顔の数ｎｆ、各顔の位置Ｐｆ、各顔サイズＳｆを判定する（ステップＳ２０２）。
【００６７】
その後、撮影制御部２１４ｆは、ライブビュー画像上における主要被写体候補の各アイコン画像における縦方向（短手方向）の長さＴｉを、ライブビュー画像上における縦方向の長さＴｐに対して顔検出部２１４ｂがライブビュー画像内から検出した顔の数ｎｆで除する（Ｔｉ＝Ｔｐ／ｎｆ）ことによって算出する（ステップＳ２０３）。なお、撮影制御部２１４ｆは、顔検出部２１４ｂがライブビュー画像内から検出した顔のサイズＳｆを加味して主要被写体候補のアイコン画像における縦方向の長さＴｉを算出してもよい。
【００６８】
続いて、撮影制御部２１４ｆは、主要被写体候補の各アイコン画像における縦方向の長さＴｉが予め設定されたライブビュー画像上に表示可能な数の主要被写体のアイコン画像における縦方向の長さＴｔ以上であるか否かを判断する（ステップＳ２０４）。主要被写体候補の各アイコン画像における縦方向の長さＴｉが予め設定されたライブビュー画像上に表示可能な数の主要被写体候補のアイコン画像の縦方向の長さＴｔ以上であると撮影制御部２１４ｆが判断した場合（ステップＳ２０４：Ｙｅｓ）、撮像装置１は、後述するステップＳ２０５へ移行する。これに対して、主要被写体候補の各アイコン画像における縦方向の長さＴｉが予め設定されたライブビュー画像上に表示可能な数の主要被写体候補のアイコン画像における縦方向の長さ未満であると撮影制御部２１４ｆが判断した場合（ステップＳ２０４：Ｎｏ）、撮像装置１は、後述するステップＳ２０７へ移行する。
【００６９】
ステップＳ２０５において、トリミング部２１４ｃは、顔検出部２１４ｂが検出した顔を含む領域をライブビュー画像から切り出してトリミング画像を生成し、この生成したトリミング画像を主要被写体候補の各アイコン画像として縦方向の長さＴｉにリサイズ処理を行って各顔のアイコン画像（アイコン化）を生成する。これにより、ライブビュー画像内で被写体が小さく、撮影者がタッチして選択することが困難であっても、容易に選択することができる。
【００７０】
続いて、表示制御部２１４ｇは、顔検出部２１４ｂがライブビュー画像内から検出した顔の位置に基づいて、トリミング部２１４ｃが生成したアイコン画像をライブビュー画像上の右領域に並べて表示部２１１または接眼表示部４２に表示させる（ステップＳ２０６）。具体的には、図７に示すように、表示制御部２１４ｇは、顔検出部２１４ｂがライブビュー画像Ｗｎ（ｎ＝整数）内から検出した主要被写体候補の顔の数が３つの場合（顔フレームＫ１〜Ｋ３）、トリミング部２１４ｃが生成したアイコン画像Ａ１〜Ａ３をライブビュー画像Ｗｎ上の右領域Ｒ１に並べて表示部２１１に表示させる。ここで、アイコン画像Ａ１〜Ａ３を右領域Ｒ１に表示する理由は、撮影者がレリーズスイッチ２１０ｂに人差し指を置いた状態で、親指でアイコン画像を容易に選択することができるからである。ここで、右領域Ｒ１は、撮像装置１の背面側から見た場合において、表示部２１１の表示画面上を長手方向に沿って略５分割したとき、レリーズスイッチ２１０ｂ近傍の領域である。なお、右領域Ｒ１の長手方向の幅は、適宜設定することができる。その後、撮像装置１は、図４のメインルーチンへ戻る。
【００７１】
ステップＳ２０７において、撮影制御部２１４ｆは、ライブビュー画像内に表示された主要被写体候補のアイコン画像を切り替える次候補スイッチが操作されたか否かを判断する。具体的には、撮影制御部２１４ｆは、タッチパネル２１２から入力される位置信号に基づいて、ライブビュー画像内に表示された次候補スイッチが操作されたか否かを判断する。次候補スイッチが操作されていない場合（ステップＳ２０７：Ｎｏ）、撮影制御部２１４ｆは、顔検出部２１４ｂがライブビュー画像内から検出した主要被写体候補の顔を画面中心から規定数だけ優先して選択する（ステップＳ２０８）。具体的には、図８に示すように、撮影制御部２１４ｆは、顔検出部２１４ｂがライブビュー画像Ｗｎ内から検出した主要被写体候補Ｐ１〜Ｐ５が写る顔フレームＫ１〜Ｋ５を表示部２１１の画面中心部から優先して規定数（たとえば３）選択する。図８に示す場合におい、撮影制御部２１４ｆは、顔検出部２１４ｂがライブビュー画像Ｗｎ内から検出した顔フレームＫ１〜Ｋ３に写る主要被写体候補Ｐ１〜Ｐ３を選択する。このとき、撮影制御部２１４ｆは、主要被写体候補の顔の向き（たとえば正面に向いている顔）、顔のサイズ（たとえば画面内でサイズが大きい顔）、最至近に位置する顔（撮像装置１と被写体との距離が最も近い顔）、合焦（たとえばピントが最もあっている顔）、静止状態（たとえば画面内で最も静止している顔）および候補設定順（たとえば最新の候補された顔）の少なくともいずれか一つを用いて、主要被写体候補を他の主要被写体候補より優先して選択してもよい。
【００７２】
続いて、トリミング部２１４ｃは、撮影制御部２１４ｆが選択した主要被写体候補の各顔を含む領域をライブビュー画像から切り出してトリミング画像を主要被写体候補のアイコン画像として生成する（ステップS２０９）。
【００７３】
その後、表示制御部２１４ｇは、顔検出部２１４ｂがライブビュー画像内から検出した顔の位置に基づいて、トリミング部２１４ｃが生成したアイコン画像をライブビュー画像上の右領域に並べて表示部２１１または接眼表示部４２に表示させ（ステップＳ２１０）、主要被写体候補のアイコン画像の切り替えを指示する次候補スイッチとして機能する次候補アイコンをアイコン画像の下に配置して表示部２１１に表示させる（ステップＳ２１１）。具体的には、図９に示すように、表示制御部２１４ｇは、トリミング部２１４ｃが生成したアイコン画像Ａ１〜Ａ３をライブビュー画像Ｗｎ上の右領域Ｒ１に並べて表示部２１１に表示させるとともに、アイコン画像Ａ３の下に次候補アイコンＡ１０を配置して表示部２１１に表示させる。なお、表示制御部２１４ｇは、接眼表示部４２にライブビュー画像を表示させる場合、アイコン画像および次候補アイコンをライブビュー画像上に重畳して表示させる。この場合、撮影制御部２１４ｆは、タッチパネル２１２から各アイコン画像に対応する位置の位置信号を受信した場合、各アイコンに対応する制御を行ってもよい。これにより、消費電量を低減することができる。その後、撮像装置１は、図４のメインルーチンへ戻る。
【００７４】
ステップＳ２０７において、次候補スイッチが操作された場合（ステップＳ２０７：Ｙｅｓ）、撮影制御部２１４ｆは、顔検出部２１４ｂがライブビュー画像内から主要被写体候補の顔を現在選択されている顔から規定数（たとえば３）だけ次の主要被写体候補の顔に変更して選択する（ステップＳ２１２）。具体的には、図９に示すように、撮影制御部２１４ｆは、主要被写体候補として顔Ｋ１〜Ｋ３が選択されている場合、図１０に示すように、次の主要被写体候補として顔Ｋ４，顔Ｋ５および顔Ｋ１に変更して選択する。これにより、表示制御部２１４ｇは、トリミング部２１４ｃが生成したアイコン画像Ａ１，アイコン画像Ａ４およびアイコン画像Ａ５をライブビュー画像Ｗｎ上の右領域Ｒ１に並べて選択可能に表示させる。これにより、被写体の領域が小さい場合または被写体同士が互いにかさっている場合であっても、撮影者がアイコン画像をタッチすることで、主要被写体を選択することができる。ここで、アイコン画像の大きさ（表示領域）は、予め指の大きさに合わせた形成される。この結果、撮影者が誤ってタッチすることがない。さらに、ライブビュー画像Ｗｎ内で小さい被写体であっても、アイコン画像として大きく表示しているので、撮影者が間違いなく敏速に選択することができる。たとえば、撮影者が所望する主要被写体の領域がライブビュー画像Ｗｎ内で小さく、タッチして選択することが困難な場合であっても、ライブビュー画像Ｗｎ内に写る被写体をアイコン画像として平等に表示することができので、撮影者は、複数の主要被写体候補から容易かつ確実に所望の主要被写体を選択することができる。その後、撮像装置１は、ステップＳ２０９へ移行する。
【００７５】
図４に戻り、ステップ１０６以降の説明を続ける。ステップＳ１０６において、タッチパネル２１２を介してライブビュー画像上の主要被写体候補のアイコン画像がタッチされた場合（ステップＳ１０６：Ｙｅｓ）、主要被写体設定部２１４ｄは、タッチされたアイコン画像に対応する主要被写体候補を撮影パラメータの変更対象とする主要被写体として設定する（ステップＳ１０７）。その後、撮影制御部２１４ｆは、主要被写体設定部２１４ｄが設定した主要被写体に対して、撮影パラメータを変更する対象としてライブビュー画像内における主要被写体の領域を選択する（ステップＳ１０８）。具体的には、撮影制御部２１４ｆは、図１１に示すように、撮影者によってアイコン画像Ａ３が選択された場合、撮影パラメータを変更する対象としてアイコン画像Ａ３に対応する主要被写体候補Ｋ３を主要被写体として選択し、この主要被写体Ｋ３付近の画像を、撮影パラメータを変更する対象の領域として選択する。この際、図１２に示すように、表示制御部２１４ｇは、選択されたアイコン画像をライブビュー画像Ｗｎ上の左領域に拡大したアイコン画像Ａ１２を表示させるとともに、次候補スイッチＡ１０以外のアイコン画像を非表示にしてもよい。これにより、撮影者は、選択した主要被写体を直感的に把握することができる。
【００７６】
ステップＳ１０６において、タッチパネル２１２を介してライブビュー画像上の主要被写体候補のアイコン画像がタッチされていない場合（ステップＳ１０６：Ｎｏ）、撮影制御部２１４ｆは、パラメータを変更する対象としてライブビュー画像の画面中央の領域を選択する（ステップＳ１０９）。その後、撮像装置１は、ステップＳ１１０へ移行する。
【００７７】
続いて、操作リング３０９ａが操作された場合（ステップＳ１１０：Ｙｅｓ）、パラメータ変更部２１４ｅは、操作リング３０９ａの操作に応じて、撮影制御部２１４ｆが選択した領域の撮影パラメータを調整する（ステップＳ１１１）。具体的には、図１３に示すように、パラメータ変更部２１４ｅは、撮影制御部２１４ｆが主要被写体Ｐ３を選択している場合（図１３（ａ））、操作リング３０９ａの操作量に応じて、顔Ｋ３の領域の輝度を用いて露出合わせやピント合わせを行う（図１３（ｂ））。これにより、主要被写体Ｐ３に対して、撮影パラメータが適切、たとえば適正露出状態やピントが合った状態になる。この結果、図１４に示すように、撮影者は、移動が激しい主要被写体を直接タッチするより敏速に選択することができるとともに、容易かつ確実に選択することができる。
【００７８】
ステップＳ１１０において、操作リング３０９ａが操作されていない場合（ステップＳ１１０：Ｎｏ）、撮影制御部２１４ｆは、選択した領域に対して、撮影パラメータが適正になるように自動で調整する（ステップS１１２）。
【００７９】
ステップＳ１１１およびステップＳ１１２の後、レリーズスイッチ２１０ｂからセカンドレリーズ信号が入力された場合（ステップＳ１１３：Ｙｅｓ）、撮影制御部２１４ｆは、撮影を行い、撮影した画像データを記録部２１３に記録する（ステップＳ１１４）。この際、撮影制御部２１４ｆは、タッチパネル２１２から位置信号が入力された場合、撮影を行ってもよい。さらに、撮影制御部２１４ｆは、主要被写体に対して各露出の撮影を行ってもよい（ブラケット撮影）。さらにまた、撮影制御部２１４ｆは、各主要被写体候補に対して適切露出で撮影を行ってもよい。また、撮影制御部２１４ｆは、主要被写体に対して複数の露出毎に連続的に撮影し、この画像を合成して主要被写体を適正露出で撮影を行ってもよい（ＨＤＲ撮影）。撮影制御部２１４ｆは、その後、撮像装置１は、ステップＳ１０１へ戻る。
【００８０】
ステップＳ１１３において、レリーズスイッチ２１０ｂを介してセカンドレリーズ信号が入力されていない場合（ステップＳ１１４：Ｎｏ）、撮像装置１は、ステップＳ１０１へ戻る。
【００８１】
ステップＳ１０２において、撮像装置１が撮影モードでなく（ステップＳ１０２：Ｎｏ）、撮像装置１が記録部２１３によって記録されている画像データの再生（再生モード）が選択されている場合（ステップＳ１１５：Ｙｅｓ）、表示制御部２１４ｇは、記録部２１３が記録する画像データに対応する画像を再生する（ステップＳ１１６）。
【００８２】
続いて、再生する画像を変更する指示信号が入力された場合（ステップＳ１１７：Ｙｅｓ）、表示制御部２１４ｇは、再生する画像を変更する（ステップＳ１１８）。その後、撮像装置１は、ステップＳ１０１へ戻る。これに対して、再生する画像を変更する指示信号が入力されていない場合（ステップＳ１１７：Ｎｏ）、撮像装置１は、ステップＳ１０１へ戻る。
【００８３】
ステップＳ１１５において、撮像装置１が記録部２１３によって記録されている画像データの再生（再生モード）が選択されていない場合（ステップＳ１１５：Ｎｏ）、撮像装置１は、操作リング３０９ａの操作に応じて変更する撮影パラメータの設定を変更する設定変更処理を実行する（ステップS１１９）。具体的には、図１５に示すように、表示制御部２１４ｇは、リング操作切り替え設定画像を表示部２１１に表示させる。この場合、撮影制御部２１４ｆは、撮影者によって選択されたアイコンに応じた内容、たとえば絞り値をリング操作によって切り替え可能な撮影パラメータとして設定する。図１５において、アイコンＡ２１は、撮影パラメータとして露出補正を設定する指示信号の入力を受け付けるアイコンである。アイコンＡ２２は、撮影パラメータとしてピントを設定する指示信号の入力を受け付けるアイコンである。アイコンＡ２３は、撮影パラメータとしてズーム倍率を設定する指示信号の入力を受け付けるアイコンである。アイコンＡ２４は、撮影パラメータとして主要被写体のアイコン画像の拡大率（表示率）を設定する指示信号の入力を受け付けるアイコンである。アイコンＡ２５は、撮影パラメータとしてシャッタスピード（ＳＳ）を設定する指示信号の入力を受け付けるアイコンである。アイコンＡ２６は、撮影パラメータとして絞り値（Ｆ値）を設定する指示信号の入力を受け付けるアイコンである。アイコンＡ２７は、リング操作切り替え設定画面からライブビュー画像に戻る指示信号の入力を受け付けるアイコンである。その後、撮像装置１は、ステップＳ１０１へ戻る。
【００８４】
以上説明した本発明の実施の形態１によれば、表示制御部２１４ｇがトリミング部２１４ｃによって生成された撮影パラメータの設定する際の基準となる主要被写体候補に対応するトリミング画像を、表示部２１１によって表示されるライブビュー画像上における右領域Ｒ１に選択可能に重畳して表示させる。この結果、動きの激しい被写体であっても、主要被写体として容易に選択することができる。
【００８５】
さらに、本発明の実施の形態１によれば、撮影者が撮像装置１を構えた基本姿勢を崩さないまま主要被写体を選択することができるとともに、簡易な操作、たとえば親指を動かすだけの操作のみで主要被写体の選択を行うことができるので、撮像装置１を両手で把持した状態で撮影することができる。この結果、撮影者は、シャッタチャンスを逃すことなく、所望の主要被写体を基準にして撮影の絵作りを行うことができる。さらに、撮影者は、レンズ部３を把持した状態を変更する必要がないので、手ブレを低減することができる。特にレンズ部３が高倍率のズームレンズの場合に有効である。
【００８６】
また、本発明の実施の形態１によれば、表示制御部２１４ｇが主要被写体候補に対応するトリミング画像をアイコン画像として表示部２１１の右領域Ｒ１に選択可能に重畳して表示させるので、撮影者のタッチによって被写体が隠れることない。この結果、撮影者は、表示部２１１が表示するライブビュー画像を見ながら所望の主要被写体および主要被写体候補の状況をリアルタイムで確認することができる。
【００８７】
（実施の形態２）
つぎに、本発明の実施の形態２について説明する。本実施の形態２は、上述した実施の形態にかかる撮像装置と同様の構成を有し、撮像装置が実行する処理のみ異なる。このため、以下においては、本実施の形態２にかかる撮像装置が実行する処理について説明する。なお、同一の構成には同一の符号を付して説明する。
【００８８】
図１６は、本実施の形態２にかかる撮像装置が実行する処理の概要を示すフローチャートである。
【００８９】
図１６において、ステップＳ３０１〜ステップＳ３０８は、図４のステップＳ１０１〜ステップＳ１０８にそれぞれ対応する。
【００９０】
ステップＳ３０９において、撮影制御部２１４ｆは、タッチパネル２１２から入力される位置信号に応じて、タッチが継続されているか否かを判断する。タッチが継続されている場合（ステップＳ３０９：Ｙｅｓ）、操作リング３０９ａの操作に応じて変更する撮影パラメータの項目を変更する（ステップＳ３１０）。具体的には、図１７に示すように、撮影制御部２１４ｆは、撮影者が主要被写体候補のアイコン画像を選択後、同じ位置で所定時間（たとえば２秒）を継続している場合、撮影パラメータの項目を表示してタッチ位置に応じた撮影パラメータの項目を、操作リング３０９ａの操作に応じて変更する撮影パラメータの項目として変更する。たとえば、撮影制御部２１４ｆは、撮影者が露出を調整するアイコンＡ３１を選択した場合、操作リング３０９ａの操作に応じて変更する撮影パラメータの項目として露出調整を設定する。アイコンＡ３２は、撮影パラメータとしてピントを設定する指示信号の入力を受け付けるアイコンである。アイコンＡ３３は、撮影パラメータとしてズーム倍率を設定する指示信号の入力を受け付けるアイコンである。また、図１８に示すように、表示制御部２１４ｇは、手動で設定した撮影パラメータの値を自動的に調整するアイコンＳ３４を表示部２１１に表示させてもよい。また、アイコン画像の撮影パラメータ、たとえば露出状態やピント状態を変えたアイコン画像をさらに表示させてもよい。その後、撮像装置１は、ステップＳ３１１へ移行する。
【００９１】
ステップＳ３１１〜ステップＳ３２０は、図４のステップＳ１０９〜ステップＳ１１８にそれぞれ対応する。
【００９２】
ステップＳ３２１において、撮像装置１は、外部の処理装置に対して双方向に通信を行い、記録部２１３が記録する画像データを転送する通信モードを行う。その後、撮像装置１は、ステップＳ３０１へ戻る。
【００９３】
以上説明した本発明の実施の形態２によれば、撮影制御部２１４ｆがタッチパネル２１２から入力される位置信号に基づいて、操作リング３０９ａの操作に応じて変更する撮影パラメータの項目を変更する。これにより、撮影者は、ライブビュー画像を見ながら撮影パラメータの項目を変更することができるので、主要被写体のシャッタチャンスを逃すことなく、主要被写体の撮影パラメータの項目を変更しながら撮影を行うことができる。
【００９４】
さらに、本発明の実施の形態２によれば、撮影者が撮像装置１を構えた基本姿勢を崩さないまま主要被写体を選択することができるとともに、簡易な操作、たとえば親指を動かすだけの操作のみで主要被写体の選択を行うことができるので、撮像装置１を両手で把持した状態で撮影することができる。この結果、撮影者は、シャッタチャンスを逃すことなく、所望の主要被写体を基準にして撮影の絵作りを行うことができる。さらに、撮影者は、レンズ部３を把持した状態を変更する必要がないので、手ブレを低減することができる。
【００９５】
また、本発明の実施の形態２によれば、表示制御部２１４ｇが主要被写体候補に対応するトリミング画像をアイコン画像として表示部２１１の右領域Ｒ１に選択可能に重畳して表示させるので、撮影者のタッチによって被写体が隠れることない。この結果、撮影者は、表示部２１１が表示するライブビュー画像を見ながら所望の主要被写体および主要被写体候補の状況をリアルタイムで確認することができる。
【００９６】
（実施の形態３）
つぎに、本発明の実施の形態３について説明する。本実施の形態３は、上述した実施の形態にかかる撮像装置と同様の構成を有し、撮像装置が実行する処理のみ異なる。このため、以下においては、本実施の形態３にかかる撮像装置が実行する処理について説明する。なお、同一の構成には同一の符号を付して説明する。
【００９７】
図１９は、本実施の形態３にかかる撮像装置１が実行する処理の概要を示すフローチャートである。
【００９８】
図１９において、ステップＳ４０１〜ステップＳ４０６は、上述した図４のステップＳ１０１〜ステップＳ１０６にそれぞれ対応する。
【００９９】
ステップＳ４０７において、撮影制御部２１４ｆは、タッチパネル２１２から入力された位置信号に基づいて、タッチ位置がアイコン画像内であるか否かを判断する。タッチ位置がアイコン画像内であると撮影制御部２１４ｆが判断した場合（ステップＳ４０７：Ｙｅｓ）、撮像装置１は、後述するステップＳ４０８へ移行する。これに対して、タッチ位置がアイコン画像内でないと撮影制御部２１４ｆが判断した場合（ステップＳ４０７：Ｎｏ）、撮像装置１は、後述するステップＳ４１０へ移行する。
【０１００】
ステップＳ４０８およびステップＳ４０９は、上述した図４のステップＳ１０７およびステップＳ１０８にそれぞれ対応する。
【０１０１】
ステップＳ４１０において、撮影制御部２１４ｆは、タッチパネル２１２から入力される位置信号に基づいて、撮影者がタッチしたタッチ位置が顔であるか否かを判断する。たとえば、図２０に示すように、撮影制御部２１４ｆは、タッチパネル２１２から入力される位置信号に基づいて、撮影者がタッチしたタッチ位置が顔検出部２１４ｂによって検出された被写体Ｐ１の顔Ｋ１であるか否かを判断する。撮影者がタッチしたタッチ位置が顔であると撮影制御部２１４ｆが判断した場合（ステップＳ４１０：Ｙｅｓ）、撮像装置１は、後述するステップＳ４１１へ移行する。これに対して、撮影者がタッチしたタッチ位置が顔でないと撮影制御部２１４ｆが判断した場合（ステップＳ４１０：Ｎｏ）、撮像装置１は、後述するステップＳ４１２へ移行する。
【０１０２】
ステップＳ４１１において、撮影制御部２１４ｆがタッチ位置を含むタッチ領域の画像を記録部２１３に記録させ、トリミング部２１４ｃがタッチ位置を含むタッチ領域を切り出してトリミング画像をアイコン画像として生成し、表示制御部２１４ｇがアイコン画像を表示部２１１に表示させる。具体的には、図２１に示すように、表示制御部２１４ｇは、ユーザがタッチした被写体Ｐ１のアイコン画像Ａ１を表示部２１１に表示させる。なお、撮影制御部２１４ｆは、タッチ領域の画像にタッチ領域に含まれる輝度や特徴点（たとえばエッジ、目、頭、口および鼻の特徴点、コントラスト等）を対応付けて記録部２１３に記録させてもよい。その後、撮像装置１は、ステップＳ４１５へ移行する。
【０１０３】
ステップＳ４１２において、撮影制御部２１４ｆがタッチ位置を含むタッチ領域の輝度を記録部２１３に記録させ、トリミング部２１４ｃがタッチ位置を含むタッチ領域を切り出してトリミング画像をアイコン画像として生成し、表示制御部２１４ｇがアイコン画像を表示部２１１に表示させる。これにより、被写体が物（たとえば花）や風景であっても、撮影パラメータを設定する際に基準となる主要被写体候補として設定することができる。その後、撮像装置１は、ステップＳ４１５へ移行する。
【０１０４】
続いて、撮影制御部２１４ｆは、加速度検出部２０７が検出する加速度が予め設定された閾値より大きいか否かを判断する（ステップＳ４１５）。具体的には、図２２に示すように、撮影制御部２１４ｆは、撮影者によって撮像装置１が下向き（チルト操作）になった場合において（図２２（ａ）→（ｂ））、加速度検出部２０７が検出する加速度が予め設定された閾値より大きいか否かを判断する。また、撮影制御部２１４ｆは、撮影者によって撮像装置１が左右のどちらか一方に急激に向けられた場合（パン操作）においても、加速度検出部２０７が検出する加速度が予め設定された閾値より大きいか否かを判断する。加速度検出部２０７が検出する加速度が予め設定された閾値より大きい場合（ステップＳ４１５：Ｙｅｓ）、撮影制御部２１４ｆは、撮影パラメータを変更する対象として選択した主要被写体の領域をリセットする（ステップＳ４１６）。その後、撮像装置１は、ステップＳ４１７へ移行する。これに対して、加速度検出部２０７が検出する加速度が予め設定された閾値より大きくない場合（ステップＳ４１５：Ｎｏ）、撮像装置１は、ステップＳ４１７へ移行する。
【０１０５】
続いて、撮影制御部２１４ｆは、表示部２１１が表示するライブビュー画像から記録対象が消失したか否かを判断する（ステップＳ４１７）。ライブビュー画像から記録対象が消失した場合（ステップＳ４１７：Ｙｅｓ）、撮影制御部２１４ｆは、現状の撮影パラメータを保持する（ステップＳ４１８）。
【０１０６】
その後、表示制御部２１４ｇは、ライブビュー画像から記録対象が消失したことを示す警告を表示部２１１に表示させる（ステップＳ４１９）。たとえば、図２３に示すように、表示制御部２１４ｇは、記録対象に対応するアイコン画像がアイコン画像Ａ２の場合、アイコン画像Ａ２をハイライト表示することにより、ライブビュー画像から記録対象が消失したことを警告する。その後、撮像装置１は、ステップＳ４２０へ移行する。
【０１０７】
ステップＳ４１７において、ライブビュー画像から記録対象が消失していない場合（ステップＳ４１７：Ｎｏ）、撮像装置１は、ステップＳ４２０へ移行する。
【０１０８】
ステップＳ４２０〜ステップＳ４２８は、図４のステップＳ１１０〜ステップＳ１１８にそれぞれ対応する。ステップＳ４２９は、図１６のステップＳ３２１に対応する。
【０１０９】
以上説明した本発明の実施の形態３によれば、トリミング部２１４ｃがタッチパネル２１２から入力される位置信号に基づいて、タッチ位置を含む領域を画像内から切り出してトリミング画像を生成し、撮影制御部２１４ｆがタッチ領域の画像を記録する。これにより、撮影者が所望する被写体を、撮影パラメータを適用する主要被写体として容易かつ確実に設定することができる。
【０１１０】
さらに、本実施の形態３によれば、画像内から記録対象が消失した場合、表示制御部２１４ｇが表示部２１１に警告を表示させる。これにより、撮影者は、表示部２１１が表示するライブビュー画像を見ながら所望の被写体が現状の構図から居なくなったことを直感的に把握することができる。
【０１１１】
また、本発明の実施の形態３によれば、撮影者が撮像装置１を構えた基本姿勢を崩さないまま主要被写体を選択することができるとともに、親指を動かすだけで主要被写体の選択を行うことができるので、撮像装置１を両手で把持した状態で撮影することができる。この結果、撮影者は、シャッタチャンスを逃すことなく、所望の主要被写体を基準にして撮影の絵作りを行うことができる。さらに、撮影者は、レンズ部３を把持した状態を変更する必要がないので、手ブレを低減することができる。
【０１１２】
また、本発明の実施の形態３によれば、表示制御部２１４ｇが主要被写体候補に対応するトリミング画像をアイコン画像として表示部２１１の右領域Ｒ１に選択可能に重畳して表示させるので、撮影者のタッチによって被写体が隠れることない。この結果、撮影者は、表示部２１１が表示するライブビュー画像を見ながら所望の主要被写体および主要被写体候補の状況をリアルタイムで確認することができる。
【０１１３】
（その他の実施の形態）
また、上述した実施の形態では、本体部に対して、着脱自在なレンズ部を備えたデジタル一眼レフカメラであったが、たとえば、光学系を含むレンズ鏡筒が本体部と一体的に設けられたコンパクトデジタルカメラ等であっても適用することができる。
【０１１４】
また、上述した実施の形態では、レンズ鏡筒に設けられた操作リングであったが、たとえばプッシュ式のスイッチ等であっても本発明を適用することができる。
【０１１５】
また、上述した実施の形態では、本体部に対して接眼部が着脱自在であったが、接眼部と本体部とが一体的に形成されていてもよい。
【０１１６】
また、上述した実施の形態では、画像処理部が制御部に組み込まれていたが、たとえば画像処理部を別途設けてもよい。さらに、画像処理部（画像エンジン）を複数設けてもよい。
【０１１７】
また、上述した実施の形態では、接眼表示部と表示部とにそれぞれ画像を表示させていたが、たとえば、２つの表示領域を有する表示モニタであっても本発明を適用することができる。具体的には、２つの表示部を有する携帯電話や多機能端末等にも適用することができる。
【０１１８】
また、本発明に係る撮像装置は、コンパクトデジタルカメラ、デジタル一眼レフカメラ以外にも、例えばアクセサリ等を装着可能なデジタルビデオカメラおよび撮影機能を有する携帯電話やタブレット型携帯機器等の電子機器にも適用することができる。
【０１１９】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１２０】
このように、本発明は、ここでは記載していない様々な実施の形態を含みうるものであり、特許請求の範囲によって特定される技術的思想の範囲内で種々の設計変更等を行うことが可能である。
【符号の説明】
【０１２１】
１                撮像装置
２                本体部
３                レンズ部
４                接眼部
４１              接眼通信部
４２              接眼表示部
２０１            シャッタ
２０２            シャッタ駆動部
２０３            撮像素子
２０４            撮像素子駆動部
２０５            信号処理部
２０６            発光部
２０７            加速度検出部
２０８            本体通信部
２０９            アクセサリ通信部
２１０            操作入力部
２１０ａ          電源スイッチ
２１０ｂ          レリーズスイッチ
２１０ｃ          撮影モード切換スイッチ
２１１            表示部
２１２            タッチパネル
２１３            記録部
２１４            制御部
２１４ａ          画像処理部
２１４ｂ          顔検出部
２１４ｃ          トリミング部
２１４ｄ          主要被写体設定部
２１４ｅ          パラメータ変更部
２１４ｆ          撮影制御部
２１４ｇ          表示制御部
３０９            レンズ操作部
３０９ａ          操作リング
【図１】
0005907738.tif 000002
【図２】
0005907738.tif 000003
【図３】
0005907738.tif 000004
【図４】
0005907738.tif 000005
【図５】
0005907738.tif 000006
【図６】
0005907738.tif 000007
【図７】
0005907738.tif 000008
【図８】
0005907738.tif 000009
【図９】
0005907738.tif 000010
【図１０】
0005907738.tif 000011
【図１１】
0005907738.tif 000012
【図１２】
0005907738.tif 000013
【図１３】
0005907738.tif 000014
【図１４】
0005907738.tif 000015
【図１５】
0005907738.tif 000016
【図１６】
0005907738.tif 000017
【図１７】
0005907738.tif 000018
【図１８】
0005907738.tif 000019
【図１９】
0005907738.tif 000020
【図２０】
0005907738.tif 000021
【図２１】
0005907738.tif 000022
【図２２】
0005907738.tif 000023
【図２３】
0005907738.tif 000024